(57)【要約】【課題】  植生ネットを平らな状態に固定することができることで安定な吹付け施工を行うことができると共に、挿設された肥料又は種子によって緑化の維持管理が容易となる係止板を提供する。【解決手段】  内部に空洞部を有する円柱状又は多面柱状の板紙からなる板状体であって、該板状体中心部には植生ネット係止用杭の挿入用貫通穴を設け、空洞内部に肥料及び／又は種子を挿設したことを特徴とする植生ネット用係止板である。この様な植生ネット用係止板を使用することにより、植生ネットを安定に法面に固定し、その後の土壌の客土への吹付け作業を効率よく進めることが可能であるため、施工作業の能率が向上する。また、係止板中に肥料などを挿設することにより、施工後に雨水等により係止板が徐々に崩壊し、挿設された肥料が徐々に溶出することで、追肥などが省略でき、肥料管理の省力化に効果を発揮する。【選択図】  図１
0003109485.tif 000002
【実用新案登録請求の範囲】
【請求項１】
内部に空洞部を有する円柱状又は多面柱状の板紙からなる板状体であって、該板状体中心部には植生ネット係止用杭の挿入用貫通穴を設け、空洞内部に肥料及び／又は種子を挿設したことを特徴とする植生ネット用係止板。
【請求項２】
板紙が撥水性板紙である請求項１記載の植生ネット用係止板。
【考案の詳細な説明】
【技術分野】
【０００１】
本考案は、法面緑化工法において、法面にネットを係止する杭が装着しやすいように係止板の中心部に杭の貫通穴を設け、かつ円柱状又は多面柱状体内の空洞部に肥料又は種子を挿設した植生ネット用係止板に関する。本考案の係止板を用いることにより、植生ネットを平らな状態に固定することができ、安定な吹付け施工を行うことができると共に、挿設された肥料又は種子によって緑化の維持管理が容易となる。
【背景技術】
【０００２】
法面緑化技術は、治山緑化として発展してきたが、近年の山間部での緑化工事や高速道の道路工事においては大型機械が導入され、工事が大面積化すると共に短時間で工事が行われるようになっている。また、道路工事などに伴って形成される法面を、降雨や風食などによって侵食されないように保護する技術として、軟質地に対して施す急速緑化法即ち、種子吹付工法が用いられている。更に、現在では固結土や硬岩質切土法面およびモルタルコンクリート法面に対する緑化が主流であり、種子吹付工法が更に高度化した厚層基材吹付工法が用いられている。
【０００３】
また、法面緑化の際に使用される植物として、従来より牧草や芝草が用いられているが、近年、より自然な緑化を行うために、木本ハギ類や郷土木本類による法面の樹林化も進められている。
【０００４】
固結土や硬岩質切土法面およびモルタルコンクリート法面に対する厚層基材吹付工法では、補助材として繊維質や金網の植生ネットが法面客土上に敷設される。しかし、法面が急勾配の箇所や硬岩質切土の箇所では、この植生ネットを平坦に張ることが出来ず、植生ネットを杭で固定する際に、法面からネットが浮き上がったり、波打った箇所ができるなどの問題がある。
この様な状態で法面上に植生ネットが敷設された場合、この上に土壌を植生ネットが隠れるまで吹付けると、吹付け量が設計量以上に多量となり、部分的に自重が過度となるため、吹付けた土壌が脱落する箇所が多数出来るため、施工効率が極めて悪くなるという問題があった。
【０００５】
法面緑化工法の技術に於いて、植生ネットを係止するためのアンカーを打設する係止具として、板の中央部にアンカーを挿通させるための孔を設けた受圧板によりネットを係止する方法が知られている。しかし、使用される受圧板は、鉄板で製造された単純な板状体であり、本考案が解決しようとするような課題には使用できない。（特許文献１参照。）
【０００６】
【特許文献１】特開2002−363989
【考案の開示】
【考案が解決しようとする課題】
【０００７】
法面が急勾配なところや落石の心配のあるところでは、工事後の法面に植生ネットを敷設することが必要となる。そのような場所ほど緩勾配なところよりも客土吹付け面の凹凸が激しく、植生ネットを均一に敷設することが困難である。その結果、ネットが波打ち、吹付け量が多くなり過ぎるために客土が脱落していた。また、設計以上の多量の吹付け量となること以外に、道路横の法面作業においては交通規制下での作業となるため、作業の迅速化による道路渋滞の緩和が望まれていた。また、長期的な緑化を図るため、ネットの敷設前後にネット固定の作業とは別の作業として、緩効性肥料や保水剤などを棒状に成型した肥料杭を取り付けていた。更に、安全な場所でない法面での二重の作業を行うということに対する省力化も望まれていた。
【課題を解決するための手段】
【０００８】
そこで、本考案者ら前述の課題を解決するため鋭意検討を重ね、本考案の植生ネット用係止板を考案した。本考案は、法面緑化工事等に於いて敷設される植生ネットを係止するために使用される植生ネット用係止板であり、植生ネットを安定に法面に固定し、その後の土壌の吹付作業を迅速に行うことを可能にしたと同時に、係止板中に肥料や種子を挿設したことにより、初期の牧草や芝草の発育後に成長してくる木本ハギ類を生育させ、より自然に近い法面緑化を省力的に行うことができる器具に係るものである。
【０００９】
即ち、本考案は、内部に空洞部を有する円柱状又は多面柱状の板紙からなる板状体であって、該板状体中心部には植生ネット係止用杭の挿入用貫通穴を設け、空洞内部に肥料及び／又は種子を挿設したことを特徴とする植生ネット用係止板に関する。
【考案の効果】
【００１０】
本考案の植生ネット用係止板は、次のような顕著な効果を奏する。
植生ネットを安定に法面に固定し、その後の土壌の法面への吹付け作業を効率よく進めることが可能であるため、施工作業の能率が向上する。
また、係止板中に肥料などを挿設することにより、施工後に雨水等により係止板が徐々に崩壊し、挿設された肥料が徐々に溶出することで、追肥などが省略でき、肥料管理の省力化に効果を発揮する。
更に、本考案の係止板内に種子を挿設した場合には、植栽工法による苗木植付け後の作業を省略化できるという利点を有する。
【考案を実施するための最良の形態】
【００１１】
緑化工事等に於いて法面に敷設される植生用ネットには、亀甲金網、亜鉛メッキ菱型金網、ラッセル織樹脂ネットなどが用いられている。
本考案の植生ネット用係止板は、これらのいずれのネットにも適用できるが、植生用ネットは、最近ではポリプロピレン等の化学合成繊維の耐腐食性繊維が多く使われるようになってきており、従って、植生ネットの固定だけを目的に使用される係止板では、耐腐食性のあるものがよい。
本考案の係止板は、ある程度の強度があり、杭の打ち込みに耐えるだけの強度と柔軟性を有することが必要がある。しかも、雨水等により係止板が徐々に崩壊し、バクテリア等により分解されて係止板中に挿設された肥料が溶出し種子が発芽するというような材質でなければならない。
【００１２】
このような係止板の材質に関して、鋭意試行、検討を重ねた結果、本考案に於いては板紙を使用することが最良であった。尚、本考案で云う板紙とは、いわゆる厚紙であり、黄ボール、チップボール、白ボール、マニラボールなどの紙器用板紙、段ボール紙、石膏ボード原紙、紙管原紙などをいう。特に、紙管原紙は強度や緻密度に優れ、本考案に使用する板紙に適していた。更に、古紙に強化剤などを加え、耐圧縮性や耐湿性などを強化した板紙も本考案での使用に適していた。段ボール紙は、杭の打込み時の圧着によって凹みやすいため、あまり使用に適さず、その適用用途は限定される。
【００１３】
本考案の係止板は、このような板紙を使用し、これを円形状又は多面形状に紙を打抜いて使用するが、この時の板紙の厚さが薄いと、打抜いて出来た板状体を張り合わせて製造する本考案の係止板製造時の打抜き回数が多くなり、係止板の製造作業効率が悪くなる。
そこで、紙の打抜き作業に際して、２〜４枚程度の板紙を予め貼り合せたような板紙とし、例えば貼合板紙または積層板原紙と云われる板紙を使用すると作業効率は向上する。
【００１４】
法面に植生ネットを係止板によって固定させ、法面に土壌等を吹付ける作業の終わるまでに、法面が濡れていたり、降雨があったりすると、本考案の係止板の強度が低下し、ネットの固定が緩むようなことがある。従って、板紙によって製造された本考案の係止具には、製造後にある程度の撥水コートをすることが好ましい。
本考案の植生ネット用係止板は、その使用時に板紙の積層部分から水が徐々に空洞内部に浸透するため、係止板の最外面に撥水板紙を用いても肥料の溶出や種子の発芽には影響はない。
また、板紙業界では板紙の種類を耐水紙と防水紙に明確な区別をせずに使用している場合が多いが、本考案の係止板に使用する撥水板紙とは、これらの板紙を含み、何らかの撥水または耐水処理を施した板紙である。
【００１５】
本考案の植生ネット用係止板内に挿設する肥料に関して云えば、その種類として化成肥料、とりわけ緩効性の肥料を使用することが好ましい。従って、追肥作業の省力化のためには、特に溶出時間をコントロールできるような被覆コーティング肥料の使用が最適である。
また、本考案の係止板内に挿設する種子の種類に関して云えば、種子が客土に定着しやすいものであれば特に種類に制限はない。殊に、法面で芝や牧草が定着した後に、種子が発芽し草木化するものの使用が良く、種子の種類は、より好ましくはヤマハギ、イタチハギ、コマツハギなどのハギ類の種子、ヤマハンノキ、松などが適している。
【実施例】
【００１６】
本考案の植生ネット用係止板を、実施例について図面を参照して詳細を説明する。
【００１７】
図１は、本考案の植生ネット用係止板を、法面に植生ネットを固定した状態での実施の形態を示す図である。先ず、図１に於いて、１は植生を施す法面、２はこの法面に敷設した植生ネット、３は植生ネットを法面に係止するための本考案の植生ネット用係止板であり、４はこの係止板と植生ネットを法面に固定するための係止用杭をそれぞれ示す。
植生ネット２が法面から浮き上がらないように、法面の凹凸ができるだけ少なくなるよう植生ネット用係止板３を打ち込む。
【００１８】
図２は、法面上の植生ネット２に固定した本考案の植生ネット用係止板３の拡大図である。
【００１９】
図３は、円柱状の係止板の最上部と最下部に使用する部材（以下、Ａ部材と云う）を示す図である。この部材の板紙の厚さに関して特段制約はないが、薄過ぎると係止板の強度が低くなり過ぎ、また、厚過ぎると中央部に杭の挿入用貫通穴を開けるための打ち抜き加工が難しくなる。
従って、板紙の厚さは１〜２ｍｍ程度が最適である。
また、Ａ部材の大きさに関しては、敷設する植生ネットの目合いが一般に７ｍｍ〜３０ｍｍであるため、係止板の大きさは１０〜３０ｃｍが好ましいが、特段これに制約があるものではない。更に、係止板の杭挿入用貫通穴に関しては、杭の太さは２０〜３０ｍｍ程度のものが一般に使用されているため、杭挿入用貫通穴の口径は約２０〜３０ｍｍとすることが望ましい。
この場合に、この口径が３０ｍｍよりも著しく大きくなると、法面に杭を打つ際に杭の挿入方向が定まらず、予め係止板の杭挿入用貫通穴に杭を入れて施工する際に、杭が係止板から脱落するため好ましくない。杭挿入用貫通穴の形状に関しては、以下説明する全ての図の係止板の穴は円形で示したが、杭の形状が４角錐である場合には、本考案の係止板に於いても杭挿入用貫通穴の形状を４角形の穴形状とすることも可能である。
【００２０】
図４は、円柱状の係止板のＡ部材に挟まれている内部の部材（以下、Ｂ部材と云う）を示す図である。このＢ部材の板紙の厚さ、大きさ及び穴の口径は、Ａ部材で記載した場合と同じである。
【００２１】
図５は、Ｂ部材の正面図である。図５では、２室の空洞部を示すＢ部材としているが、このＢ部材は、その強度と本考案品の利用目的により、空洞部を２〜４室に分割するように仕切りを設けることもできる。この様な目的として、係止板空洞内部に肥料及び種子を挿設する場合に、仕切りを設けそれぞれ別々に挿設することにより、本考案係止板施工後の係止板からの肥料の溶出時まで、肥料と種子とが接触することがなく、挿設した種子の発芽率が向上する。
また、係止板内部に肥料のみを挿設する場合は、特段仕切りは不要であるため、１室からなる構造でもよい。しかし、係止板内部に肥料を空洞部全容量に相当する量を挿設しない場合には、係止板の補強のために、Ｂ部材に仕切りを入れることが必要であり、補強目的のために仕切りを入れる場合もある。
また、Ｂ部材の仕切りの幅に関しては、幅１〜１．５ｃｍが適切である。仕切り幅が１ｃｍより小さいと、係止板の強度が低下するだけでなく、Ａ部材とＢ部材とを糊付けする面積が狭くなり係止板の組み立て作業が困難となる。また、仕切り幅が１．５ｃｍよりも大きいと、係止板内部の体積が狭くなるため、挿設する肥料量が少なくなるため好ましくない。
【００２２】
この様なＡ部材とＢ部材とを貼り合わせていくことで、本考案の係止板を製造する。
貼り合わせに使用する糊剤としては、デンプン糊、ホリビニルアルコール糊、酢酸ビニル樹脂系糊などの一般に使用される糊を使用することができる。糊剤としてエポキシ樹脂のような反応硬化型の糊剤の使用は、強固な係止板を製造することができるが、耐水性や強度が強すぎ、係止板内部に挿設した種子の発芽には好ましくない。また、糊剤の中で、係止板内に挿設した肥料の溶出性や種子の発芽の状態から、より好ましくはデンプン糊の使用が最適である。
【００２３】
図６は、円柱状の係止板の最上部と最下部にＡ部材を使用し、その中間部に複数のＢ部材を重ね貼り合わせた状態を示す柱状の本発明係止板を示す図である。
Ｂ部材を重ねて使用する枚数に関して特段制約はないが、必要とする空洞部内の容積を勘案し、２枚〜１０枚程度が好ましい。また別の理由として、本考案の係止板を使用する際に、法面の凹凸により係止板の厚さを変え、厚くした方がネットを平滑に固定できる場合もある。しかし、厚さの異なる多種類の係止板を準備するよりも、板柱状の係止板の厚さは２〜５ｃｍとし、係止板の厚さをより必要とする場合には、予め上記のように製造した本考案の係止板を２〜３枚程度重ねて施工する方法でも良い。
【００２４】
図７は、図６の円柱形状の本考案の係止板を断面で示す図である。また、５は、係止板の空洞部に挿設された肥料を示している。この様に空洞部内に肥料又は種子を挿設して使用することができる。
【００２５】
図８は、６角柱形状の係止板の最上部と最下部に使用する部材（Ａ部材）を示す図である。
【００２６】
図９は、６角柱形状の係止板のＡ部材の中間部に複数枚重ねて使用する内部の部材（Ｂ部材）を示す図である。
【００２７】
図10は、４角柱形状の係止板のＢ部材を複数枚重ね合わせた状態を示す図である。
【００２８】
図11は、８角柱形状の係止板のＢ部材を複数枚重ね合わせた状態を示す図である。係止板の形状を８角形以上の多面柱形状にすると、多角形状に加工することが難しくなり経済的に好ましくないが、この様な形状としても植生ネットを係止する際には特段に問題はない。また、係止板を三角形状にした場合には、一般的な植生ネットの目は四角であるために係止される位置によっては固定し難いが、異形な法面への植生ネットの係止には有利な場合がある。
【図面の簡単な説明】
【００２９】
【図１】植生ネット用係止板を、法面に植生ネットを固定した状態での実施の形態を示す斜視図である。
【図２】法面上の植生ネット２に固定した状態の本考案の植生ネット用係止板を示す拡大斜視図である。
【図３】円柱状の係止板の最上部と最下部に使用する部材（Ａ部材）を示す斜視図である。
【図４】円柱状の係止板のＡ部材に挟まれている内部の部材（Ｂ部材）を示す斜視図である。
【図５】Ｂ部材の正面図である。
【図６】円柱状の係止板の最上部と最下部にＡ部材を使用し、その中間部に複数枚のＢ部材を重ね貼り合わせた状態を示す柱状の係止板を示す斜視図である。
【図７】図６の円柱形状の係止板の横面断面図である。
【図８】６角柱形状の係止板の最上部と最下部に使用する部材（Ａ部材）を示す斜視図である。
【図９】６角柱形状の係止板のＡ部材の中間部に複数枚重ねて使用する内部の部材（Ｂ部材）を示す斜視図である。
【図１０】４角柱形状の係止板のＢ部材を複数枚重ね合わせた状態を示す斜視図である。
【図１１】８角柱形状の係止板のＢ部材を複数枚重ね合わせた状態を示す斜視図である。
【符号の説明】
【００３０】
１  法面
２  植生ネット
３  係止板
４  係止用杭
５  肥料粒
【図１】
0003109485.tif 000003
【図２】
0003109485.tif 000004
【図３】
0003109485.tif 000005
【図４】
0003109485.tif 000006
【図５】
0003109485.tif 000007
【図６】
0003109485.tif 000008
【図７】
0003109485.tif 000009
【図８】
0003109485.tif 000010
【図９】
0003109485.tif 000011
【図１０】
0003109485.tif 000012
【図１１】
0003109485.tif 000013